(57)【要約】  【課題】  操作キーの表示に立体感が得られ、キーユニットの意匠、装飾の多様化の要請に応え、より斬新なデザインの、例えば携帯電話機等の電子機器を提供できるようにする。  【解決手段】複数の光ファイバ３６を一方の端面が記号、数字その他の文字、絵柄画像等を表示する表示手段（液晶表示素子）２０の全表示領域と対向し、他方の端面がキー表面を成すように束ねて光ファイバ束３８を構成し、表示手段２０の表示領域の全域の表示を導光作用を有する複数の光ファイバ３６を束ねた光ファイバ束３８によりキーユニット２表面に導かれて浮かび上がらせるようにする。【選択図】  図１
2009099307.tif 000002
【特許請求の範囲】
【請求項１】
記号、数字その他の文字、絵柄、画像等を表示する少なくとも一つの表示領域を有する表示手段と、
一方の端面が上記表示手段の表示領域と対向し、他方の端面が操作キーの表面を成すように配置された多数の光ファイバを束ねてなる、複数の光ファイバ束と、
を有し、
各光ファイバ束が上記表示領域と対応する操作キーを成す
ことを特徴とするキーシート。
【請求項２】
記号、数字その他の文字、絵柄、画像等を表示する表示手段と、
一方の端面が上記表示手段の表示領域の全域と対向し、他方の端面が操作キーの表面部を成すように配置された多数の光ファイバを束ねてなる、一つの光ファイバ束と、
を有し、
上記光ファイバ束が上記表示領域の全域と対応する全操作キーを成す
ことを特徴とするキーシート。
【請求項３】
前記表示手段が、表示する記号、数字その他の文字、絵柄、画像等を書き換えることができる表示媒体である
ことを特徴とする請求項１又は２記載のキーシート。
【請求項４】
複数ある前記操作キーの少なくとも一部は、使用モードの違いに対応した複数種の機能を有し、
前記表示手段は、上記複数種の機能を有する各操作キーと対応する各領域において、少なくとも現在の使用モードにおける機能を示す表示を行うようにされてなる
ことを特徴とする請求項３に記載のキーシート。
【請求項５】
前記表示手段が、液晶表示装置、有機ＥＬ表示装置又は電子ペーパーである
ことを特徴とする請求項３又は４記載のキーシート。
【請求項６】
請求項１、２、３、４又は５に記載されたキーシートと、
裏面に前記操作キーと対応して設けられた押し子を有する押し子シートと、
上記押し子シートを載置する配線基板と、
上記配線基板上の上記押し子と対応する位置に配置されこの押し子により押されてスイッチングされるスイッチと、
を少なくとも有する
ことを特徴とするキーユニット。
【請求項７】
複数ある前記キーシートの少なくとも一部は、使用モードの違いに対応した複数種の機能を有し、
前記表示手段は、上記複数種の機能を有する各操作キーと対応する各領域において、少なくとも現在の使用モードにおける機能を示す表示を行うようにされている
ことを特徴とする請求項６に記載のキーユニット。
【請求項８】
前記表示手段が、液晶表示装置、有機ＥＬ表示装置又は電子ペーパーである
ことを特徴とする請求項６又は７記載のキーユニット。
【発明の詳細な説明】
【技術分野】
【０００１】
本発明は、電子機器類、例えば携帯電話機、ＰＨＳ、携帯情報端末(ＰＤＡ等）、携帯オーディオ、家電製品用リモートコントローラ等のキーシートと、これを備えたキーユニットに関する。
【背景技術】
【０００２】
例えば、携帯電話機、ＰＨＳ、携帯情報端末(ＰＤＡ等）、携帯オーディオ、家電製品用リモートコントローラ等の電子機器に用いられるキーユニットは、一般に、下面（裏面）或いは上面（表面）に数字その他の文字、記号、絵柄等の表示により加飾された複数のキートップを、裏面に各スイッチング素子に対応する押し子を少なくとも有する一つのキーベースの表面に形成し、そのキーベースを、上記押し子によって押されてオンするスイッチング素子を内蔵するメタルドーム及び配線膜が形成された配線基板の表面に配置した構造を有する。
【０００３】
そして、キーユニットには、キートップの表示を照光する光源として、配線基板に設けた発光ダイオード（ＬＥＤ）を用いるタイプのもの（特願２００６−０６００９５：特許文献１）や、上記キーベースの一部を成すように形成したＥＬ（エレクトロルミネセンス）シートを用いるタイプのもの（特願２００５−３５９４２０：特許文献２）がある。
【０００４】
いずれのタイプであっても従来のキーユニットは、キートップの下面（裏面）と上面（表面）のいずれか一方に、数字その他の文字、記号、絵柄等の表示を設けたものである。
キートップの上面に表示を設けたタイプのものは、当然にそのキートップの上面を直接視て表示を認識できる。また、キートップの下面に表示を設けたタイプのものは、透明性を有するそのキートップ自身を透光した光を通じてキートップの下面の表示を認識できる。
以上が従来一般のキーユニットといえる。
【０００５】
尚、ここで、下記のことを付言致します。後述するように本発明は、多数の光ファイバを束ねたものによりキートップを構成し、キートップの下面の表示を、そこに存在させつつ上面にも浮き上がらせるようにするものであるが、キートップの一部に光ファイバを使用する技術が特開平１１−１２０８５５号公報（：特許文献３）により公知であり、光ファイバを用いるという点では、本発明と、その特許文献３に形成された技術とには共通性があるといえる。
【０００６】
しかし、その特許文献３に記載された技術は、飽くまでキートップの一部に光ファイバの束を設け、単にキートップ内部の光源からの光を光ファイバによりキートップ外部に導光するためのものであって、キートップの下面の表示を上面に浮き上がらせるようにするものではない。従って、本発明と特許文献３の技術とは目的、構成、効果が全く異なり、本質の異なる発明である。
【特許文献１】特願２００６−０６００９５
【特許文献２】特願２００５−３５９４２０
【特許文献３】特開２００３−１７８６３９号公報
【発明の開示】
【発明が解決しようとする課題】
【０００７】
ところで、キーユニットを用いた例えば携帯電話機、携帯情報端末(ＰＤＡ等）、携帯オーディオプレーヤ等に対する意匠、装飾の多様化の要請は強まる一方であり、メーカー側はその要求に応え切れていない。
【０００８】
特に、各スイッチに対応する各キートップの機能を示す表示に関して新規な意匠効果、装飾効果が得られるようにすることが求められている。
というのは、前述のように、キートップの上面に表示を設けたタイプのものは、当然にそのキートップの上面の表示を直接視認識するに過ぎず、表示に立体感が全くないからである。
それが、キーユニットを使用する例えば携帯電話機等の電子機器のデザインの画一化をもたらしており、より斬新なデザインの携帯電話機等の電子機器を欲するユーザーの要求に応えることを難しくする大きな要因となっている。
【０００９】
また、キートップの下面に表示を設けたタイプのものは、表示がキートップの裏面に存在するも、その表示をキートップ自身越しに視認するに過ぎず、やはり表示に関して立体感はほとんどない。
本発明は、このような問題を解決すべく為されたものであり、操作キーの表示に立体感が得られ、キーシート、キーユニットの意匠、装飾の多様化の要請に応え、より斬新なデザインの、例えば携帯電話機等の電子機器を提供できるようにすることを目的とする。
【課題を解決するための手段】
【００１０】
請求項１のキーシートは、記号、数字その他の文字、絵柄、画像等を表示する少なくとも一つのの表示領域を有する表示手段と、一方の端面が上記表示手段の表示領域と対向し、他方の端面が操作キー表面を成すように配置された多数の光ファイバを束ねてなる、複数の光ファイバ束と、を有し、各光ファイバ束が上記表示領域と対応する操作キーを成すことを特徴とする。
請求項２のキーシートは、記号、数字その他の文字、絵柄、画像等を表示する表示手段と、一方の端面が上記表示手段の表示領域の全域と対向し、他方の端面が操作キー表面を成すように配置された多数の光ファイバを束ねてなる、一つの光ファイバ束と、を有し、上記光ファイバ束が上記表示領域の全域と対応する全操作キーを成すことを特徴とする。
【００１１】
請求項３のキーシートは、請求項１又は２記載のキーシートにおいて、前記表示手段が、表示する記号、数字その他の文字、絵柄、画像等を書き換えることができるものであることを特徴とする。
請求項４のキーシートは、請求項３に記載のキーシートにおいて、複数ある前記操作キーの少なくとも一部は、使用モードの違いに対応した複数種の機能を有し、前記表示手段は、上記複数種の機能を有する各操作キーと対応する各領域において、少なくとも現在の使用モードにおける機能を示す表示を行うようにされていることを特徴とする。
【００１２】
請求項５のキーシートは、請求項３又は４記載のキーシートにおいて、前記表示手段が、液晶表示装置、有機ＥＬ（エレクトロルミネンス）表示装置又は電子ペーパーであることを特徴とする。
請求項６のキーユニットは、請求項１、２、３、４又は５に記載されたキーシートと、裏面に前記操作キーと対応して設けられた押し子を有する押し子シートと、この押し子シートを載置する配線基板と、この配線基板上の上記押し子と対応する位置に配置されこの押し子により押されてスイッチングされるスイッチと、を少なくとも有することを特徴とする。
【００１３】
請求項７のキーユニットは、請求項６に記載のキーユニットにおいて、複数ある前記キーシートの少なくとも一部は、使用モードの違いに対応した複数種の機能を有し、前記表示手段は、上記複数種の機能を有する各操作キーと対応する各領域において、少なくとも現在の使用モードにおける機能を示す表示を行うようにされていることを特徴とする。
請求項８のキーユニットは、請求項６又は７記載のキーユニットにおいて、請求項７に記載のキーユニットにおいて、前記表示手段が、液晶表示装置、有機ＥＬ表示装置又は電子ペーパーであることを特徴とする。
【発明の効果】
【００１４】
請求項１、２のキーシートによれば、表示手段の表示領域の表示が一つの表示として存在するのみならず、その表示がそのまま光ファイバの束による導光効果によって表面に浮かび上がり、操作キー表面にその表示が現れるので、従来に無い斬新なデザインの電子機器を提供でき、キーシート、それを用いたキーユニットの意匠、装飾の多様化を図ることができる。
【００１５】
請求項３のキーシートによれば、前記表示手段が、表示する記号、数字その他の文字、絵柄、画像等を変化させることができ、表示の多様化を図ることができる。
請求項４のキーシート、請求項８のキーユニットによれば、少なくとも一部の操作キーについては、使用モードの違いに対応した複数種の機能を有し、前記表示手段は、上記複数種の機能を有する各操作キーと対応する各領域において現在の使用モードにおける機能を示す表示を行うようにしたので、複数種の機能を有する操作キーについては現在の使用モードに対応する表示のみが現れ、視認性、操作性が良く、誤操作等を生じにくくすることができる。この点について詳細に説明すると次の通りである。
【００１６】
例えば、携帯電話機のテンキーは、日本用の場合、従来においては一般に、０〜９、＊、等の数値用表示の他、あ、か、さ、た、な、や、ら等のかな用表示と、．／＠、ＡＢＣ、ＤＥＦ、ＧＨＩ、ＪＫＬ、ＭＮＯ、ＰＱＲＳ、ＴＵＶ等のアルファベット用表示等を有しているが、これは各操作キーが限られた数で、使用モードの違い等に応じて複数種の文字を入力する必要があるからである。
【００１７】
しかし、従来におけるように一つのキートップに３種類又はそれ以上の表示をすることは、各種類の表示の占有面積は当然にキートップ上面の面積の３分の１以下にせざるを得ず、元々、携帯電話機の小型化の要請に伴ってキートップのより一層の小型化が要請される現状において各種表示の視認性は低下の一途を辿る傾向にある。
しかるに、表示手段として、表示を変化させることができるものを用い、テンキー等については現在の使用モードに対応する表示のみが現れるようにすると、各種表示の広さ（大きさ）を各操作キーが占有できる面積程度にすることができ、従来よりも相当に広く（大きく）することができる。従って、視認性、操作性が良くし、誤操作等を生じにくくすることができるのである。
【００１８】
請求項５のキーシート、請求項８のキーユニットによれば、前記表示手段を、液晶表示装置、有機ＥＬ表示装置又は電子ペーパーにしたので、表示手段を極めて薄くすることができ、延いては、キーシート表面を押されたとき、その押された力をキーシート自身の裏側に形成されるキーベースの押し子に伝達してスイッチの切り換えができるようにすることが可能である。
従って、キーシート、キーユニットを、操作キーを押すことによりスイッチを制御するタイプの各種電子機器、例えば携帯電話機等へ採用することが可能である。
請求項６のキーユニットは、請求項１、２、３、４又は５に記載されたキーシートに、押し子を有する押し子シートと、この押し子シートを載置する配線基板と、この押し子により押されてスイッチングされるスイッチを組み合わせたので、請求項１、２、３、４又は５に記載されたキーシートの有する効果をキーユニットとして享受することができる。
【発明を実施するための最良の形態】
【００１９】
本発明は、基本的に、キートップを、複数の光ファイバを一方の端面が記号、数字その他の文字、絵柄、画像等を表示する表示手段の一つの表示領域と対向させ、他方の端面が操作キー表面を成すように束ねて一つの操作キーを成すようにせしめたものであり、一つのキーシートを構成する複数のキートップを互いに独立して形成する態様（後述する実施例２、３がそれに相当する。）と、互いに一体に形成する態様（後述する実施例１がそれに相当する。）とがある。
【００２０】
表示手段としては、印刷等によりキートップの裏面側に表示を設けたものであっても良いが、例えば液晶表示装置、有機ＥＬ表示装置、電子ペーパー等、表示を適宜に書き換えることができるものでも良い。
そして、表示が変化する表示手段を用いると、例えば、テンキーを電話相手の電話番号の指定に使用している送話モード等のときには、各キートップには、０〜９、＊、等の数値用表示のみが現れるようにし、かなでメール文を作成するかなモードのときには、あ、か、さ、た、な、や、ら等のかな用表示のみが現れるようにすることができ、各表示をキートップ表面の殆どを占有する大きさにすることができる。
【００２１】
表示手段として電子ペーパーを用いた場合、操作キー照明用の光源は別途必要である。また、液晶表示装置や有機ＥＬ表示装置を用いた場合には、液晶表示装置の照明用光源や自発光する有機ＥＬ表示装置によって操作キーも照明されるため、操作キー照明用の光源は不要である。
尚、表示は必ずしも、数字その他の文字、記号、絵柄等のみに限定されず、例えば静止画、動画等の画像を背景に表示しても良い。従って、例えば待ち受け時には予め撮影された画像或いは受信テレビジョン受像画像等を表示するようにすることも可能である。
【００２２】
尚、キートップは、立体感をより有効に得るために例えば１ｍｍ〜２ｍｍ以上の厚さを有するようにすることが好ましいと言えるが、１ｍｍ以下でも本発明を充分に実施できる。
光ファイバの径は、細い程解像度の高い表示ができるので好ましいと言えるが、０．０５ｍｍ〜０．２ｍｍ程度がより好ましい。
【実施例１】
【００２３】
以下、本発明を図示実施例に基いて詳細に説明する。
図１〜図３は本発明を携帯電話機用のキーユニットに適用した第１の実施例（：実施例１）２を示すもので、図１は分解斜視図、図２は断面図、図３（Ａ）はアルファベットモード時における表示手段（液晶ディスプレイ）のテンキー部分の表示領域を、（Ｂ）はかなモード時における表示手段（液晶ディスプレイ）のテンキー部分の表示領域を示す平面図である。
【００２４】
４は配線基板で、例えばプリント配線基板（ＰＣＢ）からなり、最表面には、接点部分を含む図示しない配線膜が形成されると共に、メタルドーム６、６、・・・が載置固定されている。このメタルドーム６、６、・・・はドーム状に形成された極薄のステンレス板（ＳＵＳ）からなり、上記配線膜の接点部分とでスイッチを構成する。８は配線基板４の最表面を覆って上記メタルドーム６、６、・・・を基板４最表面に固定するフィルムで、例えばＰＥＴ或いはＰＣ等により形成されている。
【００２５】
１０はキーベースで、例えばシリコーンラバー或いはエラストマーからなり、押し子１２、１２、・・・とそれを保持する押し子シート部分１４と、スタビライザー部分１６、１６、・・・とからなる。
キーベース１０は、上記スタビライザー部分１６、１６、・・・にて配線基板４の表面上に固定されており、上記各押し子１２、１２、・・・は対応する上記メタルドーム６、６、・・・上に位置する。
【００２６】
２０は表示手段を成す液晶表示装置で、その裏面にはバックライトを成す例えばＥＬ（エレクトロルミネセンス）素子２２が配設されている。
２４、２４、・・・、２６、２６、・・・は上記液晶表示装置２０の各操作キー表示領域で、特に、２４、２４、・・・はテンキー用キー表示領域であり、使用モードにより表示の種類が切り換わる。テンキーモードのときには、図１に示すように、０〜９、＊、等の数値用表示のみが現れる。
【００２７】
また、アルファベットモードのときには、図３（Ａ）に示すように、．／＠、ＡＢＣ、ＤＥＦ、ＧＨＩ、ＪＫＬ、ＭＮＯ、ＰＱＲＳ、ＴＵＶ等のアルファベット用表示のみが現れ、かなモードのときは、図３（Ｂ）に示すようにあ、か、さ、た、な、や、ら等のかな用表示のみが現れる。
２６、２６、・・・はそれ以外の操作キー用表示領域で、上記テンキー用キー表示領域とは表示の種類が異なるが、機器の操作に併せて適宜表示が切り替わるようになっている。
【００２８】
３０はファイバ受け板で、薄い透明樹脂板（或いは樹脂フィルム）からなり、次に述べるファイバ保持枠３４及び光ファイバ束（３８）を受ける。
３４はファイバ保持枠で、その内部に光ファイバ３６を多数本束ねた光ファイバ束３８が保持されている。４０は保持枠３４及び光ファイバ束３８の上面に設けられたファイバ押え板であり、薄い透明樹脂板（或いは樹脂フィルム）からなり、このファイバ押え板４０及びファイバ受け板３０により光ファイバ束３８がファイバ保持枠３４から飛び出ることを阻止するようになっている。
【００２９】
そして、上記液晶表示素子２０、ファイバ受け板３０、保持枠３４、光ファイバ束３８及びファイバ押え板４０によって本発明キーシート４２が構成される。
尚、この実施例では、上記のようにファイバ保持枠３４やファイバ受け板３０等を用いて多数の光ファイバ３６を所定の平面（断面）形状となるように束ねたものを示したが、例えば、多数の光ファイバ３６が所定の平面（断面）形状を為すように、接着剤等を用いて束ねるだけで所定の形状のキートップを形成するようにしても良い。
【００３０】
この図１〜図３に示した本実施例（キーユニット）２は、通常の使用時には、液晶表示素子２０が例えば図１に示すような表示をし、アルファベットモードの時には、各テンキー用領域２４、２４、・・・は図３（Ａ）に示すような表示をし、かなモードの時には、各テンキー用領域２４、２４、・・・は図３（Ｂ）に示すような表示をするようにされている。
その液晶表示装置２０の表面の表示は、その表面上に配置されている光ファイバ束３８により導かれてキーユニット表面に浮かび上がる。
従って、従来に無い表示態様を有する携帯電話機を提供でき、キーユニットの意匠、装飾の多様化を図ることができる。
【００３１】
そして、表示手段として、表示を変化させることができる液晶表示装置２０を用い、テンキー用領域２４、２４、・・・については、現在の使用モードに対応する表示のみが現れるようにしているので、各種表示の大きさを各キートップ上面の表面積に準ずる程度にすることができる。従って、視認性、操作性が良く、誤操作等を生じにくくすることができるのである。
【実施例２】
【００３２】
図４は本発明の第２の実施例（：実施例２）を示す分解斜視図である。
本実施例は、各操作キー毎に光ファイバ３６、３６、・・・の束３８ａ、３８ａ、・・・を用意し、その各束３８ａ、３８ａ、・・・をそれぞれ各操作キー毎に用意したファイバ保持枠３４ａ、３４ａ、・・・に収納することとし、その光ファイバ３６、３６、・・・の束３８ａ、３８ａ、・・・を収納し、上下にファイバ押え板４０ａ、４０ａ、・・・及びファイバ受け板３０ａ、３０ａ、・・・を設けた各ファイバ保持枠３４ａ、３４ａ、・・・を所定の位置関係で配置したものを、図１〜図３に示した第１の実施例（：実施例１）のファイバ保持枠３８と置換したものである。
それ以外の点では、本実施例と第２の実施例とには違いはない。
【００３３】
尚、この第２の実施例においては、ファイバ受け板３０ａ、３０ａ、・・・、ファイバ押さえ板４０ａ、４０ａ、・・・は各ファイバ保持枠３４ａ、３４ａ、・・・に対して上下に一枚ずつ設けていたが、全ファイバ保持枠３４ａ、３４ａ、・・・対して上下に一枚ずつ設けるようにしても良い。
また、上記のようにファイバ保持枠３４ａ、３４ａ、・・・やファイバ受け板３０等を用いて多数の光ファイバ３６、３６、・・・を所定の平面（断面）形状となるように束ねてファイバ束３４ａ、３４ａ、・・・を形成したものを示したが、例えば、多数の光ファイバ３６、３６、・・・が所定の平面（断面）形状を為すように、接着剤等を用いて束ねるだけで所定の形状のキートップを形成するようにしても良いことは第１の実施例の場合と同じである。
【実施例３】
【００３４】
図５は第３の実施例（：実施例３）の要部を示す分解斜視図である。
本実施例は、ファイバ保持枠として各表示領域と対応して保持孔４４、４４、・・・を有するもの３４ｂを用いることとし、各保持孔４４、４４、・・・に各表示領域と対応する光ファイバ束３８ａ、３８ａ、・・・を挿入して図４では図示しない表示手段、例えば図１の液晶表示装置２０の各表示上に光ファイバ束３８ａ、３８ａ、・・・が位置するようにしたものである。
【００３５】
第１の実施例においては一つの表示手段の表示領域の全域に対応して一つの光ファイバ束３８を設けるようにしているのに対して、第３の実施例においては、第２の実施例と同様に、各操作キー毎に一つずつ光ファイバ束３８ａを設けるようにしている。  しかし、本実施例は、一つのファイバ保持枠３４ｂに複数の保持孔４４、４４、・・・を設け、各光ファイバ束３８ａ、３８ａ、・・・をその保持孔４４、４４、・・・に収納した点で、各光ファイバ束３８ａ、３８ａ、・・・毎に光ファイバ束３８ａ、３８ａ、・・・を設けるようにした第２の実施例と異なる。
本発明はこのように種々の態様で実施することもできる。
【産業上の利用可能性】
【００３６】
本発明は、本発明は、電子機器類、例えば携帯電話機、ＰＨＳ、携帯情報端末(ＰＤＡ等）、携帯オーディオ、家電製品用リモートコントローラ等のキーシートと、これを備えたキーユニットに利用可能性がある。
【図面の簡単な説明】
【００３７】
【図１】本発明の第１の実施例（：実施例１）を示す分解斜視図である。
【図２】上記実施例の断面図である。
【図３】（Ａ）は上記実施例のアルファベットモード時における表示手段（液晶ディスプレイ）のテンキー部分の表示領域を、（Ｂ）は同じく上記実施例のかなモード時における表示手段（液晶ディスプレイ）のテンキー部分の表示領域を示す平面図である。
【図４】本発明の第２の実施例（：実施例２）を示す分解斜視図である。
【図５】本発明の第３の実施例（：実施例３）の要部を示す分解斜視図である。
【符号の説明】
【００３８】
２・・・キーユニット、４・・・配線基板、６・・・メタルドーム、
１０・・・キーベース、１２・・・押し子、１４・・・押し子シート、
２０・・・表示手段（液晶表示素子）、２２・・・バックライト、
２４・・・キーベース、１６・・・押し子、１８・・・押し子シート、
２４・・・表示領域（機能が複数種ある操作キーと対応する領域）
２６・・・表示領域（機能が単一の操作キーと対応する領域）
３４、３４ａ、３４ｂ・・・ファイバ保持枠、３６・・・光ファイバ、
３８、３８ａ・・・光ファイバ束、４０・・・キーシート、４４・・・保持孔。
【図１】
2009099307.tif 000003
【図２】
2009099307.tif 000004
【図３】
2009099307.tif 000005
【図４】
2009099307.tif 000006
【図５】
2009099307.tif 000007